(57)【特許請求の範囲】
【請求項１】
負荷が交流電源を介して両端間に電気的に接続された開閉手段と、主操作スイッチと、主操作スイッチの操作に応じて開閉手段を制御して負荷制御状態を交流電源から負荷に給電しないオフ状態または交流電源から負荷に給電するオン状態に設定する制御手段とを有するスイッチ親器、および上記開閉手段に並列的に接続され操作されている間のみオンとなる常開型の操作スイッチを有するスイッチ子器とを備え、
スイッチ親器は、操作スイッチのオン／オフを判別して操作スイッチがオンであるときにオン信号を出力し操作スイッチがオフであるときにオフ信号を出力する判別手段を有し、
制御手段は、負荷制御状態がオフ状態であるときに上記オン信号が入力されると、負荷制御状態をオン状態に切り替え、負荷制御状態がオン状態であるときに上記オン信号が入力された直後に上記オフ信号が入力されると、負荷制御状態をオフ状態に切り替えることを特徴とする電子スイッチ装置。
【請求項２】
スイッチ親器は、タイマを有し、
主操作スイッチは、操作されている間のみオンとなる常開型のスイッチからなり、
制御手段は、動作モードとして、負荷制御状態がオフ状態であるオフモードと、負荷制御状態がオン状態であるオンモードと、タイマにより所定時間をカウントした後に負荷制御状態をオン状態からオフ状態に切り替えるタイマモードとを有し、
オフモード時に操作スイッチが操作されると動作モードをオンモードに切り替え、オンモード時に操作スイッチが操作されると動作モードをタイマモードに切り替え、タイマモード時に操作スイッチが操作されると動作モードをオフモードに切り替えることを特徴とする請求項１記載の電子スイッチ装置。
【請求項３】
スイッチ親器は、タイマを有し、
主操作スイッチは、操作されている間のみオンとなる常開型のスイッチからなり、
制御手段は、動作モードとして、負荷制御状態がオフ状態であるオフモードと、負荷制御状態がオン状態であるオンモードと、タイマにより所定時間をカウントした後に負荷制御状態をオン状態からオフ状態に切り替えるタイマモードとを有し、
オフモード時に主操作スイッチが操作されると動作モードをオンモードに切り替え、オンモード時に主操作スイッチが操作されると動作モードをタイマモードに切り替え、タイマモード時に主操作スイッチが操作されると動作モードをオンモードに切り替えることを特徴とする請求項１または２記載の電子スイッチ装置。
【請求項４】
スイッチ親器は、タイマを有し、
主操作スイッチは、操作されている間のみオンとなる常開型のスイッチからなり、
制御手段は、動作モードとして、負荷制御状態がオフ状態であるオフモードと、負荷制御状態がオン状態であるオンモードと、タイマにより所定時間をカウントした後に負荷制御状態をオン状態からオフ状態に切り替えるタイマモードとを有し、
オフモード時に主操作スイッチが操作されると動作モードをオンモードに切り替え、オンモード時に主操作スイッチが操作されると動作モードをタイマモードに切り替え、タイマモード時に主操作スイッチが操作されると動作モードをオフモードに切り替えることを特徴とする請求項１または２記載の電子スイッチ装置。
【請求項５】
スイッチ親器は、タイマを有し、
主操作スイッチは、操作されている間のみオンとなる常開型のスイッチからなり、
制御手段は、動作モードとして、負荷制御状態がオフ状態であるオフモードと、タイマにより所定時間をカウントした後に負荷制御状態をオン状態からオフ状態に切り替えるタイマモードとを有し、
オフモード時に主操作スイッチが操作されると動作モードをタイマモードに切り替え、タイマモード時に主操作スイッチが操作されるとタイマのカウントをリセットして再カウントすることを特徴とする請求項１または２記載の電子スイッチ装置。
【請求項６】
スイッチ親器は、タイマを有し、
主操作スイッチは、操作されている間のみオンとなる常開型のスイッチからなり、
制御手段は、動作モードとして、負荷制御状態がオフ状態であるオフモードと、タイマにより所定時間をカウントした後に負荷制御状態をオン状態からオフ状態に切り替えるタイマモードとを有し、
オフモード時に主操作スイッチが操作されると動作モードをタイマモードに切り替え、タイマモード時に主操作スイッチが操作されると動作モードをオフモードに切り替えることを特徴とする請求項１または２記載の電子スイッチ装置。
【請求項７】
負荷が交流電源を介して両端間に電気的に接続された開閉手段と、主操作スイッチと、主操作スイッチの操作に応じて開閉手段を制御して負荷制御状態を交流電源から負荷に給電しないオフ状態または交流電源から負荷に給電するオン状態に設定する制御手段とを有するスイッチ親器、および上記開閉手段に並列的に接続され操作されている間のみオンとなる常開型の操作スイッチを有するスイッチ子器とを備え、
スイッチ親器は、操作スイッチのオン／オフを判別して操作スイッチがオンであるときにオン信号を出力し操作スイッチがオフであるときにオフ信号を出力する判別手段を有し、
制御手段は、負荷制御状態がオン状態であるときに上記オン信号が入力された直後に上記オフ信号が入力されると、負荷制御状態をオフ状態に切り替え、負荷制御状態がオフ状態であるときに操作スイッチが操作されても、負荷制御状態をオン状態に切り替えないことを特徴とする電子スイッチ装置。
【請求項８】
負荷が交流電源を介して両端間に電気的に接続された開閉手段と、主操作スイッチと、主操作スイッチの操作に応じて開閉手段を制御して負荷制御状態を交流電源から負荷に給電しないオフ状態または交流電源から負荷に給電するオン状態に設定する制御手段とを有するスイッチ親器、および上記開閉手段に並列的に接続され操作されている間のみオンとなる常開型の操作スイッチを有するスイッチ子器とを備え、
スイッチ親器は、操作スイッチのオン／オフを判別して操作スイッチがオンであるときにオン信号を出力し操作スイッチがオフであるときにオフ信号を出力する判別手段を有し、
制御手段は、負荷制御状態がオフ状態であるときに上記オン信号が入力されると、負荷制御状態をオン状態に切り替え、負荷制御状態がオン状態であるときに操作スイッチが操作されても、負荷制御状態をオフ状態に切り替えないことを特徴とする電子スイッチ装置。
【発明の詳細な説明】
【技術分野】
【０００１】
本発明は、電子スイッチ装置に関するものである。
【背景技術】
【０００２】
従来から、図５に示すように、接点構成が単極切替えであるようなスイッチ装置、所謂３路型のスイッチ装置ＳＷが提案されている。図５に示すスイッチ装置ＳＷは、例えば、４つの端子部Ｓ１〜Ｓ４を有しており、スイッチ操作により、端子部Ｓ１を端子部Ｓ２および端子部Ｓ３に選択的に接続できるようになっている。なお、端子部Ｓ４は送り端子である。ここで、交流電源ＡＣは、例えば商用電源であって、制御対象となる負荷ＬＦは、例えば白熱灯や蛍光灯を備える照明器具や換気扇などの機器である。なお、以下の説明では、説明の簡略化のために、負荷ＬＦは白熱灯であるとして説明する。
【０００３】
この種のスイッチ装置ＳＷは、主として２つセットで用いられる。例えば、図５に示すように、一方のスイッチ装置ＳＷ（図５における左方のスイッチ装置ＳＷ）の端子部Ｓ１に負荷ＬＦの一端を接続し、負荷ＬＦの他端に交流電源ＡＣの一端を接続し、交流電源ＡＣの他端を他方のスイッチ装置ＳＷ（図５における右方のスイッチ装置ＳＷ）の端子部Ｓ１に接続し、両スイッチ装置ＳＷの端子部Ｓ２，Ｓ３同士をそれぞれ接続した状態（つまりは、交流電源ＡＣと負荷ＬＦとの間に２つのスイッチ装置ＳＷが直列接続された状態）で使用される。
【０００４】
図５に示す例では、いずれかのスイッチ装置ＳＷを操作することによって、交流電源ＡＣから負荷ＬＦへの給電の開始、または停止を行うことができる。そのため、２つのスイッチ装置ＳＷそれぞれを異なる場所に設置することによって、同一負荷ＬＦの制御を異なる場所で行うことができる。例えば、スイッチ装置ＳＷは、異なる階数のフロア間を結ぶ階段用の負荷ＬＦの点灯・消灯を階段の上と下とでそれぞれ行えるようにするためなどに利用されている。
【０００５】
しかしながら、このようなスイッチ装置ＳＷにおけるスイッチ要素は、接点の開閉によって電気的接続を行う機械式のものであるため、負荷ＬＦの点灯／消灯を切り替えることしかできない。
【０００６】
一方、無接点のスイッチ素子である３端子双方向性サイリスタ（トライアック）や、サイリスタなどをスイッチ要素として採用した電子スイッチ装置が提案されている。この電子スイッチ装置によれば、負荷ＬＦの点灯／消灯の切り替えの他に、調光制御や、自動点灯、自動消灯などを行うことができていた（例えば、特許文献１参照）。
【０００７】
上記特許文献１に示す電子スイッチ装置は、上記の３路型のスイッチ装置ＳＷのように、電路を切り替えるタイプのものではなく、一の電路に流れる電流の大きさの調整や、遮断を行うものであるから、図５に示すような一般に普及している３路配線の形では使用することができず、複数の電子スイッチ装置により同一負荷の制御を行えるようにするためには、別途配線工事などを行う必要があった。
【０００８】
かかる点に鑑み、一般的に普及している３路配線に対応可能とした電子スイッチ装置が提案されている。
【０００９】
この電子スイッチ装置は、例えば屋内に設けられたスイッチボックスから引き出した２本の屋内配線を用いて交流電源ＡＣおよび負荷ＬＦに接続され、主に屋内の壁部などの造営材に埋め込み設置された状態で使用されるものであり、図６に示すように、交流電源ＡＣと、負荷ＬＦからなる直列回路の両端間に直列接続されるスイッチ親器１およびスイッチ子器２を備えている。
【００１０】
スイッチ子器２は、交流電源ＡＣまたは負荷ＬＦとの接続に用いられる外部接続端子２ａと、スイッチ親器１との接続に用いられる一対の親器接続端子２ｂ，２ｃとを備えている。一方の親器接続端子（以下、「第１親器接続端子」と称する）２ｂと外部接続端子２ａとの間は短絡され、他方の親器接続端子（以下、「第２親器接続端子」と称する）２ｃと外部接続端子２ａとの間には、押釦スイッチなどの操作（押釦スイッチの場合は押圧）されている間のみオンとなる常開型の操作スイッチ２０が介在されている。操作スイッチ２０と外部接続端子２ａとの間には、ダイオードＤ２０が、操作スイッチ２０にアノードを、外部接続端子２ａにカソードを接続する形で介在されている。また、外部接続端子２ａと第２親器接続端子２ｃとの間には、ダイオードＤ２１と、発光ダイオードＰＤ２０と、抵抗Ｒ２０とからなる直列回路が、外部接続端子２ａ側から第２親器接続端子２ｃ側に向かう方向を順方向とする形で介在され、発光ダイオードＰＤ２０にはコンデンサＣ２０が並列接続されている。この発光ダイオードＰＤ２０は、暗所などにおいてスイッチ子器２の位置を表示するためのものである。
【００１１】
スイッチ親器１は、交流電源ＡＣまたは負荷ＬＦとの接続に用いられる外部接続端子１ａと、スイッチ子器２との接続に用いられる一対の子器接続端子１ｂ，１ｃとを備えている。一方の子器接続端子（以下、「第１子器接続端子」と称する）１ｂと外部接続端子１ａとの間には、３端子双方向性サイリスタからなる開閉手段１０が介在されている。３端子双方向性サイリスタは、ゲート端子に所定の閾値以上の電流（ゲート電流）が入力された際に、オンとなる（ターンオンする）常開型のスイッチであって、両端間に印加された電圧がゼロになったときに（ゼロクロス点で）、オフに切り換わる特性を有している。なお、以下の説明では、開閉手段１０において第１子器接続端子１ｂに接続された一端を電源側端子と称し、外部接続端子１ａに接続された他端を負荷側端子と称する。
【００１２】
このような開閉手段１０と外部接続端子１ａとの間にはノイズフィルタ用のインダクタＬが介在され、開閉手段１０およびインダクタＬからなる直列回路には、サージアブソーバＺとノイズフィルタ用のコンデンサＣ１０とが並列接続されている。
【００１３】
スイッチ親器１は、負荷ＬＦの制御状態（以下、「負荷制御状態」と称する）として、交流電源ＡＣから負荷ＬＦに給電しないオフ状態と、交流電源ＡＣから負荷ＬＦに給電するオン状態とを有し、オフ状態とオン状態との切り替えは、制御部１１により行われるようになっている。制御部１１は、マイクロコンピュータ（マイコン）などからなり、上記のオフ状態とオン状態との切り替えなどの動作はソフトウェアなどにより実現されている。制御部１１には、押釦スイッチなどの操作（押釦スイッチの場合は押圧）されている間だけオンとなる常開型の主操作スイッチ１２が接続されており、制御部１１は、操作スイッチ１２がオンとなる毎にオフ状態とオン状態とを切り替えるように構成されている。
【００１４】
また、スイッチ親器１は、交流電源ＡＣが出力する交流電流を整流して整流電流（脈流）を出力するダイオードブリッジからなる整流回路部１３を有しており、整流回路部１３は、一対の交流入力端子および一対の直流出力端子を有し、一対の交流入力端子の一方が開閉手段１０の電源側端子に接続され、他方が開閉手段１０の負荷側端子に抵抗Ｒ１０を介して接続されている。この抵抗Ｒ１０にはコンデンサＣ１１が並列に接続され、コンデンサＣ１１と抵抗Ｒ１０との接続点は、開閉手段１０のゲート端子に接続されている。そして、コンデンサＣ１１および抵抗Ｒ１０からなる並列回路は、コンデンサＣ１１の充電電圧に比例するゲート電流を開閉手段１０のゲート端子に出力するので、整流回路部１３の直流出力端子間を短絡した電流によってコンデンサＣ１１が充電されて、ゲート電流が上記閾値以上となった際には、開閉手段１０がオンに切り替えられる。したがって、上記並列回路が、整流回路部１３の直流出力端子間が短絡された際に開閉手段１０のゲート端子に所定の閾値以上のゲート電流を出力して開閉手段１０をオンに切り替えるゲート駆動回路を構成している。
【００１５】
整流回路部１３の高電位側の出力端子と、低電位側の出力端子との間には、交流電源ＡＣから制御部１１への電力の供給、および開閉手段１０の制御を行う電源／制御回路部１４が接続されている。
【００１６】
電源／制御回路部１４は、交流電源ＡＣより与えられる電圧（整流回路部１３の出力電圧）を元にして制御部１１用の動作電源を生成する機能と、整流回路部１３の直流出力端子間を短絡させて開閉手段１０をオンに切り替える機能とを有している。この電源／制御回路部１４は、負荷制御状態をオフ状態とするオフ動作、および負荷制御状態をオン状態とするオン動作を行うように構成され、オフ動作とオン動作の切り替えは制御部１１により行われる。ここで、電源／制御回路部１４は、オフ動作では、交流電源ＡＣより与えられる電圧を元にして制御部１１用の動作電源を生成するとともに、開閉手段１０はオフとする。一方、電源／制御回路部１４は、オン動作では、制御部１１よりオン状態に切り替える旨の信号を受け取った際には、整流回路部１３の直流出力端子間を短絡させて開閉手段１０をオンに切り替える。ここで、開閉手段１０がオンであると、交流電源ＡＣより整流回路部１３には電流がほとんど供給されなくなるが、開閉手段１０は上述したように３端子双方向性サイリスタであるから、ゼロクロス点でオフに切り替わる。したがって、オン動作においては、電源／制御回路部１４は、開閉手段１０がゼロクロス点でオフに切り替わった際には、整流回路部１３の出力電圧を元にして制御部１１用の動作電源を生成して制御部１１の動作に必要な電力を確保してから、再度、整流回路部１３の直流出力端子間を短絡させて、開閉手段１０をオンに切り替える。以後、この動作を繰り返すことによって、交流電源ＡＣから負荷ＬＦに給電するオン状態が維持される。なお、このような電源／制御回路部１４は従来周知であるから詳細な回路構成およびその説明は省略する。
【００１７】
ところで、開閉手段１０の負荷側端子には、図６に示すように、逆流阻止用のダイオードＤ１０を介してインピーダンス調整回路１５が接続されている。
【００１８】
インピーダンス切替回路１５は、２つのＮＰＮ型のトランジスタＴｒ１０，Ｔｒ１１と、５つの抵抗Ｒ１１〜Ｒ１５と、２つのコンデンサＣ１２，Ｃ１３と、ツェナーダイオードＺＤとで構成され、トランジスタＴｒ１０のコレクタ側が入力側、エミッタ側が出力側となっている。トランジスタＴｒ１０のコレクタは、抵抗Ｒ１１を介してダイオードＤ１０のカソードに接続され、トランジスタＴｒ１０のベースとエミッタとの間には、抵抗Ｒ１２およびコンデンサＣ１２の並列回路からなるトランジスタＴｒ１０用の駆動回路が介在されている。また、トランジスタＴｒ１１は、コレクタが抵抗Ｒ１３を介してダイオードＤ１０に接続され、エミッタがトランジスタＴｒ１０のエミッタに接続されている。トランジスタＴｒ１１のベースとエミッタとの間には、抵抗Ｒ１４およびコンデンサＣ１３の並列回路からなるトランジスタＴｒ１１用の駆動回路が介在されている。ツェナーダイオードＺＤは、カソードがダイオードＤ１０のアノードに接続され、アノードが抵抗Ｒ１５を介してトランジスタＴｒ１１のベースに接続されている。
【００１９】
上記インピーダンス切替回路１５は、開閉手段１０がオンであるときと、オフであるときとでインピーダンスを切り替えるように構成されている。具体的には、ツェナーダイオードＺＤは、開閉手段１０がオフであるときに逆方向に電流が流れ、開閉手段１０がオンであるときに逆方向に電流が流れないように、降伏電圧が設定されている。これによって、開閉手段１０がオフであるときには、トランジスタＴｒ１１のみがオンとなり、開閉手段１０がオンであるときには、トランジスタＴｒ１０のみがオンとなる。そして、トランジスタＴｒ１１がオンである場合には、トランジスタＴｒ１０がオンである場合よりも、インピーダンス切替回路１５の出力端子より出力される電流が小さくなるように、抵抗Ｒ１１，１３〜１５の値が設定されている。
【００２０】
インピーダンス切替回路１５の出力端子となるトランジスタＴｒ１０のエミッタには、発光ダイオードＰＤ１０のアノードが接続され、発光ダイオードＰＤ１０のカソードは、第２子器接続端子１ｃに接続されている。また、発光ダイオードＰＤ１０のカソードは、逆流阻止用のダイオードＤ１１のアノードに接続され、ダイオードＤ１１のカソードは抵抗Ｒ１６を介して外部接続端子１ａに接続されている。さらに、発光ダイオードＰＤ１０には、コンデンサＣ１４が並列接続され、ダイオードＤ１１および抵抗Ｒ１６の直列回路には、コンデンサＣ１５が並列接続されている。
【００２１】
この発光ダイオードＰＤ１０は、操作スイッチ２０のオン／オフを判別して操作スイッチ２０がオンであるときにオン信号を出力し操作スイッチ２０がオフであるときにオフ信号を出力する判別手段となる判別回路部１６に利用されている。
【００２２】
判別回路部１６は、発光ダイオードＰＤ１０が放射する光を受光してオンとなる、すなわち発光ダイオードＰＤ１０とでホトカプラ１６ａを構成するホトトランジスタＰＴを備えている。ホトトランジスタＰＴのコレクタは、抵抗Ｒ１７を介して電源／制御回路部１４が生成した動作電源を制御部１１に供給するための電源線に接続されるとともに、上記電源線に流れる電流によって充電されるコンデンサＣ１６を介して接地されている。
【００２３】
また、判別回路部１６は、所定の閾値以上の電位が入力端子に与えられた際に上記オフ信号として用いられるハイレベルの信号を出力し、所定の閾値未満の電位が入力端子に与えられた際に上記オン信号として用いられるロウレベルの信号を出力するリセット回路１６ｂを備え、リセット回路１６ｂは、入力端子がホトトランジスタＰＴのコレクタに接続され、出力端子が抵抗Ｒ１８を介して制御部１１に接続されている。抵抗Ｒ１８と制御部１１との接続点は、コンデンサＣ１７を介して接地されている。
【００２４】
したがって、上記判別回路部１６によれば、ホトトランジスタＰＴがオフであるときには、上記電源線に流れる電流によってコンデンサＣ１６が充電されるため、コンデンサＣ１６の高電位側の電位がリセット回路１６ｂの上記閾値以上となった際に、リセット回路１６ｂよりハイレベルの信号が出力され、一方、ホトトランジスタＰＴがオンであるときには、コンデンサＣ１６の高電位側がホトトランジスタＰＴを介して接地されて、電荷が放電されるため、コンデンサＣ１６の高電位側の電位がリセット回路１６ｂの上記閾値未満となった際に、リセット回路１６ｂよりロウレベルの信号が出力される。
【００２５】
制御部１１は、上述したようにスイッチ親器１の負荷制御状態をオン状態またはオフ状態に設定するものであって、負荷制御状態がオフ状態であるときに主操作スイッチ１２が操作されると、電源／制御回路部１４をオン動作に切り替え、負荷制御状態をオフ状態からオン状態に切り替える。一方、制御部１１は、負荷制御状態がオン状態であるときに主操作スイッチ１２が操作されると、電源／制御回路部１４をオフ動作に切り替え、負荷制御状態をオン状態からオフ状態に切り替える。
【００２６】
したがって、制御部１１および電源／制御回路部１４が、主操作スイッチ１２の操作に応じて開閉手段１０を制御して負荷制御状態を交流電源ＡＣから負荷ＬＦに給電しないオフ状態または交流電源ＡＣから負荷ＬＦに給電するオン状態に設定する制御手段を構成している。
【００２７】
また、制御部１１は、図７（ａ）に示すように、負荷制御状態がオフ状態であるときに、操作スイッチ２０が操作されて、判別回路部１６のオン信号が入力されると、電源／制御回路部１４をオン動作に切り替え、負荷制御状態をオン状態に切り替える。一方、制御部１１は、図７（ｂ）に示すように、負荷制御状態がオン状態であるときに、操作スイッチ２０が操作されて、判別回路部１６のオン信号が入力されると、電源／制御回路部１４をオフ動作に切り替え、負荷制御状態をオフ状態に切り替える。
【００２８】
図６に示す電子スイッチ装置では、スイッチ親器１およびスイッチ子器２それぞれがスイッチ装置ＳＷに対応しており、図５に示す３路配線において、一方のスイッチ装置ＳＷの代わりにスイッチ親器１を、他方のスイッチ装置ＳＷの代わりにスイッチ子器２を用いることで、図５に示す３路配線の形と同様の形で負荷ＬＦおよび交流電源ＡＣに接続できるようになっている。
【００２９】
つまり、図６に示す電子スイッチ装置は、負荷ＬＦと交流電源ＡＣからなる直列回路の一端（図６に示す例では、負荷ＬＦの一端）にスイッチ親器１の外部接続端子１ａを接続し、当該直列回路の他端（図６に示す例では、交流電源ＡＣの一端）にスイッチ子器２の外部接続端子２ａを接続し、スイッチ親器１の第１親器接続端子１ｂおよび第２親器接続端子１ｃそれぞれをスイッチ子器２の第１子器接続端子２ｂおよび第２親器接続端子２ｃそれぞれに接続した状態で使用される。
【００３０】
このように電子スイッチ装置を負荷ＬＦおよび交流電源ＡＣに接続した状態では、スイッチ親器１の開閉手段１０の電源側端子はスイッチ子器１を介して交流電源ＡＣに接続され、負荷側端子は負荷ＬＦに接続されている。一方、スイッチ子器２の操作スイッチ２０の一端はダイオードＤ２０を介して交流電源ＡＣに接続され、他端はスイッチ親器１を介して負荷ＬＦに接続されている。
【００３１】
したがって、開閉手段１０は、負荷ＬＦが交流電源ＡＣを介して両端間に電気的に接続されて、負荷ＬＦおよび交流電源ＡＣとで閉回路を構成し、操作スイッチ２０は、開閉手段１０に並列的に接続されるとともに負荷ＬＦが交流電源ＡＣを介して両端間に電気的に接続されて、負荷ＬＦおよび交流電源ＡＣとで閉回路を構成している。
【００３２】
以下に、図６に示す電子スイッチ装置の動作について説明する。なお、初期状態では、操作スイッチ２０および主操作スイッチ１２の両方はオフであり、負荷制御状態はオフ状態であるとする。
【００３３】
まず、スイッチ子器２の外部接続端子２ａが高電位側、スイッチ親器１の外部接続端子１ａが低電位側となっている状態では、図６に実線の矢印で示す経路（すなわち、交流電源ＡＣ、外部接続端子２ａ、ダイオードＤ２１、発光ダイオードＰＤ２０、第２親器接続端子２ｃ、第２子器接続端子１ｃ、ダイオードＤ１１、抵抗Ｒ１６、外部接続端子１ａ、負荷ＬＦ、交流電源ＡＣの経路）で電流が流れ、スイッチ子器２の発光ダイオードＰＤ２０が点灯する。このときに負荷ＬＦに流れる電流は、負荷ＬＦが動作（点灯）しない大きさとなるように抵抗Ｒ２０などにより限流されている。
【００３４】
一方、スイッチ子器２の外部接続端子２ａが低電位側、スイッチ親器１の外部接続端子１ａが高電位側となっている状態では、操作スイッチ２０がオフとなっているため、負荷ＬＦには電流が流れない。また、いずれの状態においても、開閉手段１０がオフとなっているため、交流電源ＡＣ、外部接続端子２ａ、第１親器接続端子２ｂ、第１子器接続端子１ｂ、外部接続端子１ａ、負荷ＬＦ、交流電源ＡＣという経路には電流が流れない。したがって、負荷ＬＦが消灯している状態では、交流電源ＡＣの約半周期毎にスイッチ子器２の発光ダイオードＰＤ２０が点灯する。
【００３５】
このように負荷ＬＦが消灯している状態（すなわちオフ状態）において、主操作スイッチ１２が操作された場合には、制御部１１は、負荷制御状態をオン状態に切り替えるために、電源／制御回路部１４をオン動作に切り替え、これによって、交流電源ＡＣ、外部接続端子２ａ、第１親器接続端子２ｂ、第１子器接続端子１ｂ、外部接続端子１ａ、負荷ＬＦ、交流電源ＡＣという経路で負荷ＬＦが動作するのに十分な大きさの電流が流れ、負荷ＬＦが点灯する。
【００３６】
また、負荷ＬＦが点灯している状態（すなわちオン状態）において、主操作スイッチ１２が操作された場合には、制御部１１は、負荷制御状態をオフ状態に切り替えるために、電源／制御回路部１４をオフ動作に切り替え、これによって、交流電源ＡＣ、外部接続端子２ａ、第１親器接続端子２ｂ、第１子器接続端子１ｂ、外部接続端子１ａ、負荷ＬＦ、交流電源ＡＣという経路で電流が流れなくなり、交流電源ＡＣから負荷ＬＦに電力が供給されなくなるから、負荷ＬＦが消灯する。
【００３７】
一方、負荷ＬＦが消灯している状態において、操作スイッチ２０が操作された場合には、スイッチ子器２の外部接続端子２ａが低電位側、スイッチ親器１の外部接続端子１ａが高電位側となっているときに、図６に破線の矢印で示す経路（すなわち、交流電源ＡＣ、負荷ＬＦ、外部接続端子１ａ、インダクタＬ、ダイオードＤ１０、インピーダンス切替回路１５、発光ダイオードＰＤ１０、第２子器接続端子１ｃ、第２親器接続端子２ｃ、操作スイッチ２０、ダイオードＤ２０、外部接続端子２ａ、交流電源ＡＣ）で電流が流れ、スイッチ親器１の発光ダイオードＰＤ１０が点灯する。このときに負荷ＬＦに流れる電流は、負荷ＬＦが点灯しない大きさとなるようにインピーダンス切替回路１５などにより限流されている。
【００３８】
そして、発光ダイオードＰＤ１０が点灯した際には、発光ダイオードＰＤ１０とホトカプラ１６ａを構成しているホトトランジスタＰＴがオンとなり、コンデンサＣ１６の電荷が放電され、リセット回路１６ｂよりオン信号が出力され、判別回路部１６より制御部１１にオン信号が入力される。そして、制御部１１は、負荷制御状態をオン状態に切り替えるために、電源／制御回路部１４をオン動作に切り替え、これによって、交流電源ＡＣ、外部接続端子２ａ、第１親器接続端子２ｂ、第１子器接続端子１ｂ、外部接続端子１ａ、負荷ＬＦ、交流電源ＡＣという経路で負荷ＬＦが動作するのに十分な大きさの電流が流れ、負荷ＬＦが点灯する。
【００３９】
また、負荷制御状態がオン状態であるときに、操作スイッチ２０が操作された場合には、上述したように、判別回路部１６より制御部１１にオン信号が入力される。そして、制御部１１は、負荷制御状態をオフ状態に切り替えるために、電源／制御回路部１４をオフ動作に切り替え、これによって、交流電源ＡＣから負荷ＬＦに電力が供給されなくなって、負荷ＬＦが消灯する。
【００４０】
したがって、図６に示す電子スイッチ装置では、スイッチ親器１の主操作スイッチ１２と、スイッチ子器２の操作スイッチ２０とのいずれかを操作することによって、負荷ＬＦの点灯または消灯が行えるようになっており、例えば、スイッチ親器１を階段の下側に、スイッチ子器２を階段の上側に設置することによって、階段の上と下のどちらでも、負荷ＬＦの制御を行うことができる。
【特許文献１】特開平９−４５１７５号公報
【発明の開示】
【発明が解決しようとする課題】
【００４１】
ところで、図６に示す電子スイッチ装置では、操作スイッチ２０が操作されている間は、図６に破線の矢印で示す経路（すなわち、交流電源ＡＣ、負荷ＬＦ、外部接続端子１ａ、インダクタＬ、ダイオードＤ１０、インピーダンス切替回路１５、発光ダイオードＰＤ１０、第２子器接続端子１ｃ、第２親器接続端子２ｃ、操作スイッチ２０、ダイオードＤ２０、外部接続端子２ａ、交流電源ＡＣ）で電流が流れることになる。そのため、操作スイッチ２０が操作されている間は、電子スイッチ装置の消費電流が大きくなる。
【００４２】
ここで、負荷ＬＦが点灯している（負荷制御状態がオン状態である）場合には、特に問題はないが、負荷ＬＦが消灯している（負荷制御状態がオフ状態である）場合には、負荷ＬＦにフリッカなどが生じるおそれがあり、また、負荷ＬＦとして、インバータを利用した蛍光灯用の照明装置や、電子スタータを利用した蛍光灯（高輝度放電灯）用の照明装置を利用した場合には、蛍光灯の温度を好適に下げることができず、再点灯が行えなくなり、その結果、照明装置を使用できなくなるといった不具合が生じるおそれがあった。
【００４３】
このような不具合は、操作スイッチ２０を操作した際の消費電流を不具合が生じない程度に小さくすれば解消されるが、操作スイッチ２０の操作時の消費電流を小さくすることは、技術的に困難であった。
【００４４】
そのため、上記不具合を解消するためには、操作スイッチ２０がオンとなっている期間と、負荷ＬＦが消灯している期間（負荷制御状態がオフ状態である期間）とが重なる期間を短く、または重なる期間がなくなるようにすることが考えられる。
【００４５】
上述した図６に示す電子スイッチ装置では、制御部１１は、負荷制御状態がオフ状態であるときに、判別回路部１６のオン信号が入力されると、負荷制御状態をオフ状態からオン状態に切り替えるようになっている。図７（ａ）は、時刻Ｔ１において判別回路部１６のオン信号が入力され、時刻Ｔ１より入力確定時間ｔを経過した時刻Ｔ２において負荷制御状態がオフ状態からオン状態に切り替えられ、さらにその後の時刻Ｔ３において判別回路部１６のオフ信号が入力された際の動作を示している。
【００４６】
一方、制御部１１は、負荷制御状態がオン状態であるときに、判別回路部１６のオン信号が入力されると、負荷制御状態をオフ状態からオン状態に切り替えるようになっている。図７（ｂ）は、時刻Ｔ１において判別回路部１６のオン信号が入力され、時刻Ｔ１より入力確定時間ｔを経過した時刻Ｔ２において負荷制御状態がオン状態からオフ状態に切り替えられ、さらにその後の時刻Ｔ３において判別回路部１６のオフ信号が入力された際の動作を示している。
【００４７】
したがって、図６に示す電子スイッチ装置では、負荷制御状態がオフ状態からオン状態に切り替わる際には、図７（ａ）に示すように、時刻Ｔ１から時刻Ｔ２までの比較的短い期間（入力確定時間ｔ）が、負荷制御状態がオフ状態である期間と重なっているものの、負荷制御状態がオン状態からオフ状態に切り替わる際には、図７（ｂ）に示すように、入力確定時間ｔよりも長い時刻Ｔ２から時刻Ｔ３までの期間が、負荷制御状態がオフ状態である期間と重なっている。したがって、図６に示す電子スイッチ装置では、上記不具合が生じるおそれがあった。
【００４８】
上述の電子スイッチ装置の制御部１１では、判別回路部１６のオン信号を負荷制御状態の切り替えのトリガとして利用しているが、例えば、図８（ａ），（ｂ）に示すように、判別回路部１６のオン信号ではなく、オン信号が入力された直後のオフ信号を負荷制御状態の切り替えのトリガとして利用することが考えられる。
【００４９】
この場合、制御部１１は、負荷制御状態がオフ状態であるときに、判別回路部１６のオン信号が入力された直後にオフ信号が入力されると、負荷制御状態をオフ状態からオン状態に切り替える。図８（ａ）は、時刻Ｔ１において判別回路部１６のオン信号が入力され、その後の時刻Ｔ３において判別回路部１６のオフ信号が入力され、時刻Ｔ３より入力確定時間ｔを経過した時刻Ｔ４において負荷制御状態がオフ状態からオン状態に切り替えられた際の動作を示している。
【００５０】
一方、制御部１１は、負荷制御状態がオン状態であるときに、判別回路部１６のオン信号が入力されると、負荷制御状態をオフ状態からオン状態に切り替える。図８（ｂ）は、時刻Ｔ１において判別回路部１６のオン信号が入力され、その後の時刻Ｔ３において判別回路部１６のオフ信号が入力され、時刻Ｔ３より入力確定時間ｔを経過した時刻Ｔ４において負荷制御状態がオン状態からオフ状態に切り替えられた際の動作を示している。
【００５１】
図８（ａ），（ｂ）に示す動作を行う制御部１１を備えた電子スイッチ装置では、負荷制御状態がオン状態からオフ状態に切り替わる際には、図８（ｂ）に示すように、操作スイッチ２０の操作期間が、負荷制御状態がオフ状態である期間とは重なっていないが、負荷制御状態がオフ状態からオン状態に切り替わる際には、図８（ａ）に示すように、時刻Ｔ１から時刻Ｔ３までの期間が、負荷制御状態がオフ状態である期間と重なっており、結局、このような電子スイッチ装置であっても、上記不具合が生じるおそれがあった。
【００５２】
本発明は上述の点に鑑みて為されたもので、その目的は、操作スイッチの操作時に負荷に流れる電流に起因する不具合の発生を抑制できる電子スイッチ装置を提供することにある。
【課題を解決するための手段】
【００５３】
上述の課題を解決するために、請求項１の発明では、負荷が交流電源を介して両端間に電気的に接続された開閉手段と、主操作スイッチと、主操作スイッチの操作に応じて開閉手段を制御して負荷制御状態を交流電源から負荷に給電しないオフ状態または交流電源から負荷に給電するオン状態に設定する制御手段とを有するスイッチ親器、および上記開閉手段に並列的に接続され操作されている間のみオンとなる常開型の操作スイッチを有するスイッチ子器とを備え、スイッチ親器は、操作スイッチのオン／オフを判別して操作スイッチがオンであるときにオン信号を出力し操作スイッチがオフであるときにオフ信号を出力する判別手段を有し、制御手段は、負荷制御状態がオフ状態であるときに上記オン信号が入力されると、負荷制御状態をオン状態に切り替え、負荷制御状態がオン状態であるときに上記オン信号が入力された直後に上記オフ信号が入力されると、負荷制御状態をオフ状態に切り替えることを特徴とする。
【００５４】
請求項１の発明によれば、制御手段は、負荷制御状態が交流電源から負荷に給電しないオフ状態であるときには、オン信号が入力されると負荷制御状態を交流電源から負荷に給電するオン状態に切り替えるので、操作スイッチが操作されてから給電開始までの時間が短くなるから、操作スイッチが操作されている期間と負荷制御状態がオフ状態である期間とが重なる期間を短くでき、また、負荷制御状態がオン状態であるときには、オン信号が入力された直後にオフ信号が入力されると負荷制御状態をオフ状態に切り替えるので、操作スイッチが操作されている間は負荷制御状態がオフ状態にはならないから、操作スイッチが操作されている期間と負荷制御状態がオフ状態である期間とが重なる期間をなくすことができ、その結果、負荷制御状態をオン状態に切り替えるとき、もしくはオフ状態に切り替えるときのいずれの場合においても、スイッチ子器の操作スイッチの操作時の負荷に流れる電流に起因する不具合の発生を抑制できる。
【００５５】
請求項２の発明では、請求項１の発明において、スイッチ親器は、タイマを有し、主操作スイッチは、操作されている間のみオンとなる常開型のスイッチからなり、制御手段は、動作モードとして、負荷制御状態がオフ状態であるオフモードと、負荷制御状態がオン状態であるオンモードと、タイマにより所定時間をカウントした後に負荷制御状態をオン状態からオフ状態に切り替えるタイマモードとを有し、オフモード時に操作スイッチが操作されると動作モードをオンモードに切り替え、オンモード時に操作スイッチが操作されると動作モードをタイマモードに切り替え、タイマモード時に操作スイッチが操作されると動作モードをオフモードに切り替えることを特徴とする。
【００５６】
請求項２の発明によれば、操作スイッチにより、交流電源から負荷に給電しないオフモード、交流電源から負荷に給電するオンモード、および所定時間だけ交流電源から負荷に給電するタイマモードのいずれかに動作モードを設定できるから、交流電源から負荷への給電の開始または停止だけではなく、負荷を所定時間だけ動作させるタイマ動作を行うことができるようになり、また、動作モードがタイマモードであるときに操作スイッチを操作すれば動作モードがオフモードに切り替わるから、タイマモードにおいて所定時間が経過する前であれば、任意のタイミングで交流電源から負荷への給電を停止させることができる。
【００５７】
請求項３の発明では、請求項１または２の発明において、スイッチ親器は、タイマを有し、主操作スイッチは、操作されている間のみオンとなる常開型のスイッチからなり、制御手段は、動作モードとして、負荷制御状態がオフ状態であるオフモードと、負荷制御状態がオン状態であるオンモードと、タイマにより所定時間をカウントした後に負荷制御状態をオン状態からオフ状態に切り替えるタイマモードとを有し、オフモード時に主操作スイッチが操作されると動作モードをオンモードに切り替え、オンモード時に主操作スイッチが操作されると動作モードをタイマモードに切り替え、タイマモード時に主操作スイッチが操作されると動作モードをオンモードに切り替えることを特徴とする。
【００５８】
請求項３の発明によれば、主操作スイッチにより、交流電源から負荷に給電しないオフモード、交流電源から負荷に給電するオンモード、および所定時間だけ交流電源から負荷に給電するタイマモードのいずれかに動作モードを設定できるから、交流電源から負荷への給電の開始または停止だけではなく、負荷を所定時間だけ動作させるタイマ動作を行うことができるようになり、また、動作モードがタイマモードであるときに主操作スイッチを操作すれば動作モードがオンモードに切り替わるから、タイマモードにおいて所定時間が経過する前であれば、タイマモードを解除して交流電源から負荷への給電を維持することができる。
【００５９】
請求項４の発明では、請求項１または２の発明において、スイッチ親器は、タイマを有し、主操作スイッチは、操作されている間のみオンとなる常開型のスイッチからなり、制御手段は、動作モードとして、負荷制御状態がオフ状態であるオフモードと、負荷制御状態がオン状態であるオンモードと、タイマにより所定時間をカウントした後に負荷制御状態をオン状態からオフ状態に切り替えるタイマモードとを有し、オフモード時に主操作スイッチが操作されると動作モードをオンモードに切り替え、オンモード時に主操作スイッチが操作されると動作モードをタイマモードに切り替え、タイマモード時に主操作スイッチが操作されると動作モードをオフモードに切り替えることを特徴とする。
【００６０】
請求項４の発明によれば、主操作スイッチにより、交流電源から負荷に給電しないオフモード、交流電源から負荷に給電するオンモード、および所定時間だけ交流電源から負荷に給電するタイマモードのいずれかに動作モードを設定できるから、交流電源から負荷への給電の開始または停止だけではなく、負荷を所定時間だけ動作させるタイマ動作を行うことができるようになり、また、動作モードがタイマモードであるときに主操作スイッチを操作すれば動作モードがオフモードに切り替わるから、タイマモードにおいて所定時間が経過する前であれば、任意のタイミングで交流電源から負荷への給電を停止させることができる。
【００６１】
請求項５の発明では、請求項１または２の発明において、スイッチ親器は、タイマを有し、主操作スイッチは、操作されている間のみオンとなる常開型のスイッチからなり、制御手段は、動作モードとして、負荷制御状態がオフ状態であるオフモードと、タイマにより所定時間をカウントした後に負荷制御状態をオン状態からオフ状態に切り替えるタイマモードとを有し、オフモード時に主操作スイッチが操作されると動作モードをタイマモードに切り替え、タイマモード時に主操作スイッチが操作されるとタイマのカウントをリセットして再カウントすることを特徴とする。
【００６２】
請求項５の発明によれば、主操作スイッチにより、交流電源から負荷に給電しないオフモードから所定時間だけ交流電源から負荷に給電するタイマモードに動作モードを切り替えることができるから、負荷を所定時間だけ動作させるタイマ動作を行うことができるようになり、また、動作モードがタイマモードであるときに主操作スイッチを操作すれば、タイマのカウントをリセットして再カウントさせることができるから、交流電源から負荷に給電する期間を延長できて、負荷の動作時間を任意に延長できる。
【００６３】
請求項６の発明では、請求項１または２の発明において、スイッチ親器は、タイマを有し、主操作スイッチは、操作されている間のみオンとなる常開型のスイッチからなり、制御手段は、動作モードとして、負荷制御状態がオフ状態であるオフモードと、タイマにより所定時間をカウントした後に負荷制御状態をオン状態からオフ状態に切り替えるタイマモードとを有し、オフモード時に主操作スイッチが操作されると動作モードをタイマモードに切り替え、タイマモード時に主操作スイッチが操作されると動作モードをオフモードに切り替えることを特徴とする。
【００６４】
請求項６の発明によれば、主操作スイッチにより、交流電源から負荷に給電しないオフモード、および所定時間だけ交流電源から負荷に給電するタイマモードのいずれかに動作モードを設定できるから、交流電源から負荷への給電の開始または停止だけではなく、負荷を所定時間だけ動作させるタイマ動作を行うことができるようになり、また、タイマモードにおいてタイマのカウント中であっても動作モードをオフモードに設定できるから、交流電源から負荷への給電を停止できて、負荷の動作を任意のタイミングで停止できる。
【００６５】
請求項７の発明では、負荷が交流電源を介して両端間に電気的に接続された開閉手段と、主操作スイッチと、主操作スイッチの操作に応じて開閉手段を制御して負荷制御状態を交流電源から負荷に給電しないオフ状態または交流電源から負荷に給電するオン状態に設定する制御手段とを有するスイッチ親器、および上記開閉手段に並列的に接続され操作されている間のみオンとなる常開型の操作スイッチを有するスイッチ子器とを備え、スイッチ親器は、操作スイッチのオン／オフを判別して操作スイッチがオンであるときにオン信号を出力し操作スイッチがオフであるときにオフ信号を出力する判別手段を有し、制御手段は、負荷制御状態がオン状態であるときに上記オン信号が入力された直後に上記オフ信号が入力されると、負荷制御状態をオフ状態に切り替え、負荷制御状態がオフ状態であるときに操作スイッチが操作されても、負荷制御状態をオン状態に切り替えないことを特徴とする。
【００６６】
請求項７の発明によれば、負荷制御状態が交流電源から負荷に給電するオン状態であるときには、オン信号が入力された直後にオフ信号が入力されると負荷制御状態を交流電源から負荷に給電しないオフ状態に切り替えるので、操作スイッチが操作されている間は負荷制御状態がオフ状態にはならないから、操作スイッチが操作されている期間と負荷制御状態がオフ状態である期間とが重なる期間をなくすことができ、また、負荷制御状態がオフ状態であるときには、操作スイッチが操作されても、負荷制御状態をオン状態に切り替えないから、負荷制御状態がオフ状態であるときには操作スイッチが操作されなくなり、その結果、スイッチ子器の操作スイッチの操作時の負荷に流れる電流に起因する不具合の発生を抑制できる。
【００６７】
請求項８の発明では、負荷が交流電源を介して両端間に電気的に接続された開閉手段と、主操作スイッチと、主操作スイッチの操作に応じて開閉手段を制御して負荷制御状態を交流電源から負荷に給電しないオフ状態または交流電源から負荷に給電するオン状態に設定する制御手段とを有するスイッチ親器、および上記開閉手段に並列的に接続され操作されている間のみオンとなる常開型の操作スイッチを有するスイッチ子器とを備え、スイッチ親器は、操作スイッチのオン／オフを判別して操作スイッチがオンであるときにオン信号を出力し操作スイッチがオフであるときにオフ信号を出力する判別手段を有し、制御手段は、負荷制御状態がオフ状態であるときに上記オン信号が入力されると、負荷制御状態をオン状態に切り替え、負荷制御状態がオン状態であるときに操作スイッチが操作されても、負荷制御状態をオフ状態に切り替えないことを特徴とする。
【００６８】
請求項８の発明によれば、制御手段は、負荷制御状態が交流電源から負荷に給電しないオフ状態であるときには、オン信号が入力されると負荷制御状態を交流電源から負荷に給電するオン状態に切り替えるので、操作スイッチが操作されてから給電開始までの時間が短くなるから、操作スイッチが操作されている期間と負荷制御状態がオフ状態である期間とが重なる期間を短くでき、また、負荷制御状態がオン状態であるときには、操作スイッチが操作されても負荷制御状態をオフ状態に切り替えないから、操作スイッチが操作されている期間と負荷制御状態がオフ状態である期間とが重なることがなくなり、その結果、スイッチ子器の操作スイッチの操作時の負荷に流れる電流に起因する不具合の発生を抑制できる。
【発明の効果】
【００６９】
本発明は、スイッチ子器の操作スイッチの操作時に負荷に流れる電流に起因する不具合の発生を抑制できるという効果を奏する。
【発明を実施するための最良の形態】
【００７０】
（実施形態１）
本実施形態の電子スイッチ装置は、図６に示す電子スイッチ装置と同様の構成を基本的な構成として有するものであって、負荷ＬＦが交流電源ＡＣを介して両端間に電気的に接続された開閉手段１０と、主操作スイッチ１２と、主操作スイッチ１２の操作に応じて開閉手段１０を制御して負荷制御状態を交流電源ＡＣから負荷ＬＦに給電しないオフ状態または交流電源ＡＣから負荷ＬＦに給電するオン状態に設定する制御手段を構成する制御部１１および電源／制御回路部１４と、操作スイッチ２０のオン／オフを判別して操作スイッチ２０がオンであるときにオン信号を出力し操作スイッチ２０がオフであるときにオフ信号を出力する判別手段となる判別回路部１６とを有するスイッチ親器１、および開閉手段１０に並列的に接続され操作されている間のみオンとなる常開型の操作スイッチ２０を有するスイッチ子器２とを備えているものの、電源／制御回路部１４とともに制御手段を構成する制御部１１の構成が異なっている。なお、本実施形態の電子スイッチ装置のその他の構成は、図６に示す電子スイッチ装置と同様であるから図示および説明を省略する。
【００７１】
本実施形態における制御部１１は、図１（ａ）に示すように、負荷制御状態が交流電源ＡＣから負荷ＬＦに給電していないオフ状態であるときに判別回路部１６のオン信号が入力されると、負荷制御状態を交流電源ＡＣから負荷ＬＦに給電するオン状態に切り替えるように構成されている。図１（ａ）は、時刻Ｔ１において判別回路部１６のオン信号が入力され、時刻Ｔ１より入力確定時間ｔを経過した時刻Ｔ２において負荷制御状態がオフ状態からオン状態に切り替えられ、さらにその後の時刻Ｔ３において判別回路部１６のオフ信号が入力された際の動作を示している。
【００７２】
また、本実施形態における制御部１１は、図１（ｂ）に示すように、負荷制御状態がオン状態であるときに判別回路部１６のオン信号が入力された直後にオフ信号が入力されると、負荷制御状態をオフ状態に切り替えるように構成されている。図１（ｂ）は、時刻Ｔ１において判別回路部１６のオン信号が入力され、その後の時刻Ｔ３において判別回路部１６のオフ信号が入力され、時刻Ｔ３より入力確定時間ｔを経過した時刻Ｔ４において負荷制御状態がオン状態からオフ状態に切り替えられた際の動作を示している。
【００７３】
このように本実施形態の電子スイッチ装置では、負荷制御状態がオフ状態からオン状態に切り替わる際には、図１（ａ）に示すように、時刻Ｔ１から時刻Ｔ２までの比較的短い期間（オン信号の入力確定時間ｔ）が、負荷制御状態がオフ状態である期間と重なり、負荷制御状態がオン状態からオフ状態に切り替わる際には、図１（ｂ）に示すように、操作スイッチ２０の操作期間が、負荷制御状態がオフ状態である期間とは重ならないようになっている。
【００７４】
したがって、本実施形態の電子スイッチ装置によれば、制御部１１は、負荷制御状態がオフ状態であるときには、オン信号が入力されると負荷制御状態をオン状態に切り替えるので、操作スイッチ２０が操作されてから給電開始までの時間が短くなるから、操作スイッチ２０が操作されている期間と負荷制御状態がオフ状態である期間とが重なる期間を短くでき、また、負荷制御状態がオン状態であるときには、オン信号が入力された直後にオフ信号が入力されると負荷制御状態をオフ状態に切り替えるので、操作スイッチ２０が操作されている間は負荷制御状態がオフ状態にはならないから、操作スイッチ２０が操作されている期間と負荷制御状態がオフ状態である期間とが重なる期間をなくすことができ、その結果、負荷制御状態をオン状態に切り替えるとき、もしくはオフ状態に切り替えるときのいずれの場合においても、スイッチ子器２の操作スイッチ２０の操作時の負荷ＬＦに流れる電流に起因する不具合の発生を抑制できる。
【００７５】
なお、本実施形態の電子スイッチ装置の基本的な構成は、図６に示す例に限定されるものではなく、本発明の趣旨を逸脱しない程度の設計変更は可能である。この点は後述する実施形態１〜５においても同様である。
【００７６】
（実施形態２）
本実施形態の電子スイッチ装置は、スイッチ親器１がタイマ（図示せず）を有している点、および制御部１１の動作が実施形態１と異なっており、その他の構成は実施形態１と同様であるから図示および説明を省略する。
【００７７】
本実施形態における制御部１１は、動作モードとして、図２に示すように、交流電源ＡＣから負荷ＬＦに電力供給を行わない（つまり負荷制御状態がオフ状態である）オフモードＭ１と、交流電源ＡＣから負荷ＬＦに電力供給を行う（つまり負荷制御状態がオン状態である）オンモードＭ２と、上記タイマにより所定時間をカウントし当該所定時間だけ交流電源ＡＣから負荷ＬＦに電力を供給する（つまりタイマにより所定時間をカウントした後に負荷制御状態をオン状態からオフ状態に切り替える）タイマモードＭ３とを有しており、操作スイッチ２０が操作された際に、次のような動作を行う。
【００７８】
すなわち、制御部１１は、図２に示すように、オフモードＭ１時に操作スイッチ２０が操作されると、負荷制御状態をオフ状態からオン状態に切り替えて、動作モードをオンモードＭ２に設定し（図２中の矢印Ｈ１）、オンモードＭ２時に操作スイッチ２０が操作されると、動作モードをタイマモードＭ３に設定して（図２中の矢印Ｈ２）、上記タイマのカウントを開始し、タイマモードＭ３時に操作スイッチ２０が操作されると、上記タイマのカウントを停止するとともに、負荷制御状態をオン状態からオフ状態に切り替えて、動作モードをオフモードＭ１に設定する（図２中の矢印Ｈ３）。また、制御部１１は、タイマモードＭ３時に上記タイマにより所定時間がカウントされた後には、負荷制御状態をオン状態からオフ状態に切り替えるとともに、動作モードをオフモードＭ１に設定する（図３（ａ）中の矢印Ｇ）。
【００７９】
ところで、操作スイッチ２０の操作に応じて制御部１１が負荷制御状態を切り替える際の動作については、実施形態１と同様である。つまり、制御部１１は、負荷制御状態がオフ状態であるオフモードＭ１時においては、判別回路部１６のオン信号が入力されると、負荷制御状態をオフ状態からオン状態に切り替えて、動作モードをオンモードＭ２に設定する。また、制御部１１は、負荷制御状態がオン状態であるタイマモードＭ３時においては、判別回路部１６のオン信号が入力された直後にオフ信号が入力されると、負荷制御状態をオン状態からオフ状態に切り替えて、動作モードをオフモードＭ１に設定する。
【００８０】
したがって、本実施形態の電子スイッチ装置においても、実施形態１と同様に、負荷制御状態がオフ状態からオン状態に切り替わる際には、図１（ａ）に示すように、時刻Ｔ１から時刻Ｔ２までの比較的短い期間が、負荷制御状態がオフ状態である期間と重なり、負荷制御状態がオン状態からオフ状態に切り替わる際には、図１（ｂ）に示すように、操作スイッチ２０の操作期間が、負荷制御状態がオフ状態である期間とは重ならないようになっている。
【００８１】
以上述べた本実施形態の電子スイッチ装置によれば、実施形態１と同様の効果を奏する。加えて、本実施形態の電子スイッチ装置によれば、操作スイッチ２０により、交流電源ＡＣから負荷ＬＦに給電しないオフモードＭ１、交流電源ＡＣから負荷ＬＦに給電するオンモードＭ２、および所定時間だけ交流電源ＡＣから負荷ＬＦに給電するタイマモードＭ３のいずれかに動作モードを設定できるから、交流電源ＡＣから負荷ＬＦへの給電の開始または停止だけではなく、負荷ＬＦを所定時間だけ動作させるタイマ動作を行うことができるようになり、また、動作モードがタイマモードＭ３であるときに操作スイッチ２０を操作すれば動作モードがオフモードＭ１に切り替わるから、タイマモードＭ３において所定時間が経過する前（上記タイマによるカウントが終了する前）であれば、任意のタイミングで交流電源ＡＣから負荷ＬＦへの給電を停止させることができる。
【００８２】
なお、操作スイッチ２０が操作された際の制御部１１の動作として、本実施形態における動作（図２に示すような動作）と実施形態１における動作とのいずれの動作を行うかは、スイッチ親器１に付設したスイッチなどの選択手段によって選択できるようにしてもよい。
【００８３】
（実施形態３）
本実施形態の電子スイッチ装置は、スイッチ親器１がタイマ（図示せず）を有している点、および制御部１１の動作が実施形態１と異なっており、その他の構成は実施形態１と同様であるから図示および説明を省略する。
【００８４】
本実施形態における制御部１１は、動作モードとして、図３（ａ）に示すように、負荷制御状態がオフ状態であるオフモードＭ１と、負荷制御状態がオン状態であるオンモードＭ２と、タイマにより所定時間をカウントした後に負荷制御状態をオン状態からオフ状態に切り替えるタイマモードＭ３とを有しており、主操作スイッチ１２が操作された際に、次のような動作を行う。
【００８５】
すなわち、本実施形態における制御部１１は、図３（ａ）に示すように、オフモードＭ１時に主操作スイッチ１２が操作されると、負荷制御状態をオフ状態からオン状態に切り替えて、動作モードをオンモードＭ２に設定し（図３（ａ）中の矢印Ｆ１）、オンモードＭ２時に主操作スイッチ１２が操作されると、動作モードをタイマモードＭ３に設定して（図３（ａ）中の矢印Ｆ２）、上記タイマのカウントを開始し、タイマモードＭ３時に主操作スイッチ１２が操作されると、上記タイマのカウントを停止し、動作モードをオンモードＭ２に設定する（図３（ａ）中の矢印Ｆ３）。また、制御部１１は、タイマモードＭ３時に上記タイマにより所定時間がカウントされた後には、負荷制御状態をオン状態からオフ状態に切り替えるとともに、動作モードをオフモードＭ１に設定する（図３（ａ）中の矢印Ｇ）。なお、操作スイッチ２０が操作された際の制御部１１の動作は実施形態１と同様である。
【００８６】
以上述べた本実施形態の電子スイッチ装置によれば、実施形態１と同様の効果を奏する。加えて、本実施形態の電子スイッチ装置によれば、主操作スイッチ１２により、交流電源ＡＣから負荷ＬＦに給電しないオフモードＭ１、交流電源ＡＣから負荷ＬＦに給電するオンモードＭ２、および所定時間だけ交流電源ＡＣから負荷ＬＦに給電するタイマモードＭ３のいずれかに動作モードを設定できるから、交流電源ＡＣから負荷ＬＦへの給電の開始または停止だけではなく、負荷ＬＦを所定時間だけ動作させるタイマ動作を行うことができるようになり、また、動作モードがタイマモードＭ３であるときに主操作スイッチ１２を操作すれば動作モードがオンモードＭ２に切り替わるから、タイマモードＭ３において所定時間が経過する前であれば、タイマモードＭ３を解除して交流電源ＡＣから負荷ＬＦへの給電を維持することができる。
【００８７】
ところで、主操作スイッチ１２が操作された際の制御部１１の動作は図３（ａ）に示す例に限定されるものではない。
【００８８】
例えば、制御部１１は、図３（ｂ）に示すように、オフモードＭ１時に主操作スイッチ１２が操作されると動作モードをオンモードＭ２に設定し（図３（ｂ）中の矢印Ｆ１）、オンモードＭ２時に主操作スイッチ１２が操作されると動作モードをタイマモードＭ３に設定し（図３（ｂ）中の矢印Ｆ２）、タイマモードＭ３時に主操作スイッチ１２が操作されると、上記タイマのカウントを停止するとともに、負荷制御状態をオン状態からオフ状態に切り替えて、動作モードをオフモードＭ１に設定するように構成されていてもよい（図３（ｂ）中の矢印Ｆ４）。
【００８９】
このようにすれば、図３（ａ）に示す例と同様に、主操作スイッチ１２により、交流電源ＡＣから負荷ＬＦに給電しないオフモードＭ１、交流電源ＡＣから負荷ＬＦに給電するオンモードＭ２、および所定時間だけ交流電源ＡＣから負荷ＬＦに給電するタイマモードＭ３のいずれかに動作モードを設定できるから、交流電源ＡＣから負荷ＬＦへの給電の開始または停止だけではなく、負荷ＬＦを所定時間だけ動作させるタイマ動作を行うことができるようになる。そして、図３（ｂ）に示す例では、動作モードがタイマモードＭ３であるときに主操作スイッチ１２を操作すれば動作モードがオンモードではなくオフモードＭ１に切り替わるから、タイマモードＭ３において所定時間が経過する前であれば、任意のタイミングで交流電源ＡＣから負荷ＬＦへの給電を停止させることができる。
【００９０】
また、制御部１１は、図３（ｃ）に示すように、オフモードＭ１時に主操作スイッチ１２が操作されると、負荷制御状態をオフ状態からオン状態に切り替えるとともに、上記タイマのカウントを開始することにより、動作モードをタイマモードＭ３に設定し（図３（ｃ）中の矢印Ｆ５）、タイマモードＭ３時に主操作スイッチ１２が操作されると上記タイマのカウントをリセットして再カウントする、つまり負荷制御状態がオン状態である期間（負荷の動作期間）を延長するように構成されていてもよい（図３（ｃ）中の矢印Ｆ６）。
【００９１】
このようにすれば、主操作スイッチ１２により、交流電源ＡＣから負荷ＬＦに給電しないオフモードＭ１から所定時間だけ交流電源ＡＣから負荷ＬＦに給電するタイマモードＭ３に動作モードを切り替えることができるから、負荷ＬＦを所定時間だけ動作させるタイマ動作を行うことができるようになり、また、動作モードがタイマモードＭ３であるときに主操作スイッチ１２を操作すれば、上記タイマのカウントをリセットして再カウントさせることができるから、交流電源ＡＣから負荷ＬＦに給電する期間を延長できて、負荷ＬＦの動作時間を任意に延長することができる。
【００９２】
あるいは、制御部１１は、図３（ｄ）に示すように、オフモードＭ１時に主操作スイッチ１２が操作されると、負荷制御状態をオフ状態からオン状態に切り替えるとともに、上記タイマのカウントを開始することにより、動作モードをタイマモードＭ３に設定し（図３（ｄ）中の矢印Ｆ５）、タイマモードＭ３時に主操作スイッチ１２が操作されると、上記タイマのカウントを停止するとともに、負荷制御状態をオン状態からオフ状態に切り替えて、動作モードをオフモードＭ１に設定するように構成されていてもよい（図３（ｄ）中の矢印Ｆ７）。
【００９３】
このようにすれば、主操作スイッチ１２により、交流電源ＡＣから負荷ＬＦに給電しないオフモードＭ１、および所定時間だけ交流電源ＡＣから負荷ＬＦに給電するタイマモードＭ３のいずれかに動作モードを設定できるから、交流電源ＡＣから負荷ＬＦへの給電の開始または停止だけではなく、負荷ＬＦを所定時間だけ動作させるタイマ動作を行うことができるようになり、また、タイマモードＭ３において上記タイマのカウント中であっても動作モードをオフモードＭ１に設定できるから、交流電源ＡＣから負荷ＬＦへの給電を停止できて、負荷ＬＦの動作を任意のタイミングで停止できる。
【００９４】
なお、主操作スイッチ１２が操作された際の制御部１１の動作として、本実施形態における動作（図３（ａ）〜（ｄ）に示すような動作）と実施形態１における動作とのいずれの動作を行うかは、スイッチ親器１に付設したスイッチなどの選択手段によって選択できるようにしてもよく、例えば、当該選択手段によって、主操作スイッチ１２が操作された際の制御部１１の動作を、実施形態１の動作、図３（ａ）に示す動作、図３（ｂ）に示す動作、図３（ｃ）に示す動作、図３（ｄ）に示す動作の計５つの動作のなかから選択できるようにしてもよい。ところで、主操作スイッチ１２が操作された際の制御部１１の動作として、図３（ｃ），（ｄ）に示すような動作を採用する場合には、オンモードＭ２は必ずしも必要ではない。
【００９５】
また、本実施形態における主操作スイッチ１２が操作された際の制御部１１の動作は、上述した実施形態２にも採用できる。
【００９６】
（実施形態４）
本実施形態の電子スイッチ装置は、図６に示す電子スイッチ装置と同様の構成を基本的な構成として有するものであって、負荷ＬＦが交流電源ＡＣを介して両端間に電気的に接続された開閉手段１０と、主操作スイッチ１２と、主操作スイッチ１２の操作に応じて開閉手段１０を制御して負荷制御状態を交流電源ＡＣから負荷ＬＦに給電しないオフ状態または交流電源ＡＣから負荷ＬＦに給電するオン状態に設定する制御手段を構成する制御部１１および電源／制御回路部１４と、操作スイッチ２０のオン／オフを判別して操作スイッチ２０がオンであるときにオン信号を出力し操作スイッチ２０がオフであるときにオフ信号を出力する判別手段となる判別回路部１６とを有するスイッチ親器１、および開閉手段１０に並列的に接続され操作されている間のみオンとなる常開型の操作スイッチ２０を有するスイッチ子器２とを備えているものの、電源／制御回路部１４とともに制御手段を構成する制御部１１の構成が異なっている。なお、本実施形態の電子スイッチ装置のその他の構成は、図６に示す電子スイッチ装置と同様であるから図示および説明を省略する。
【００９７】
本実施形態における制御部１１は、図１（ｂ）に示すように、負荷制御状態がオン状態であるときに判別回路部１６のオン信号が入力された直後にオフ信号が入力されると、負荷制御状態をオフ状態に切り替えるように構成されている。また、本実施形態における制御部１１は、負荷制御状態がオフ状態であるときに操作スイッチ２０が操作されても、負荷制御状態をオン状態に切り替えないように構成されている。つまり、本実施形態におけるスイッチ子器２は、負荷ＬＦの消灯のみを行うオフスイッチ（強制オフスイッチ）となっている。
【００９８】
このように本実施形態の電子スイッチ装置では、負荷制御状態がオン状態からオフ状態に切り替わる際には、図１（ｂ）に示すように、操作スイッチ２０の操作期間が、負荷制御状態がオフ状態である期間とは重ならず、負荷制御状態がオフ状態である場合には、操作スイッチ２０が操作されることがない。
【００９９】
したがって、以上述べた本実施形態の電子スイッチ装置によれば、制御部１１は、負荷制御状態が交流電源ＡＣから負荷ＬＦに給電するオン状態であるときには、オン信号が入力された直後にオフ信号が入力されると負荷制御状態を交流電源ＡＣから負荷ＬＦに給電しないオフ状態に切り替えるので、操作スイッチ２０が操作されている間は負荷制御状態がオフ状態にはならないから、操作スイッチ２０が操作されている期間と負荷制御状態がオフ状態である期間とが重なる期間をなくすことができ、また、負荷制御状態がオフ状態であるときには、操作スイッチ２０が操作されても、負荷制御状態をオン状態に切り替えないから、負荷制御状態がオフ状態であるときには操作スイッチ２０が操作されなくなり、その結果、スイッチ子器２の操作スイッチ２０の操作時の負荷ＬＦに流れる電流に起因する不具合の発生を抑制できる。
【０１００】
ところで、本実施形態における制御部１１は、動作モードとして、図４（ａ）に示すように、負荷制御状態がオフ状態であるオフモードＭ１と、負荷制御状態がオン状態であるオンモードＭ２と、タイマにより所定時間をカウントした後に負荷制御状態をオン状態からオフ状態に切り替えるタイマモードＭ３とを有するものであってもよい。
【０１０１】
この場合、制御部１１は、例えば、実施形態３の図３（ａ）に示すように、オフモードＭ１時に主操作スイッチ１２が操作されると、負荷制御状態をオフ状態からオン状態に切り替えて動作モードをオンモードＭ２に設定し（図３（ａ）中の矢印Ｆ１）、オンモードＭ２時に主操作スイッチ１２が操作されると、動作モードをタイマモードＭ３に設定して（図３（ｂ）中の矢印Ｆ２）、上記タイマのカウントを開始し、タイマモードＭ３時に主操作スイッチ１２が操作されると上記タイマのカウントを停止し動作モードをオンモードＭ２に設定し（図３（ａ）中の矢印Ｆ３）、タイマモードＭ３時に上記タイマにより所定時間がカウントされた後には、負荷制御状態をオン状態からオフ状態に切り替えるとともに、動作モードをオフモードＭ１に設定する（図３（ａ）中の矢印Ｇ）ように構成する。
【０１０２】
このようにすれば、主操作スイッチ１２により、交流電源ＡＣから負荷ＬＦに給電しないオフモードＭ１、交流電源ＡＣから負荷ＬＦに給電するオンモードＭ２、および所定時間だけ交流電源ＡＣから負荷ＬＦに給電するタイマモードＭ３のいずれかに動作モードを設定できるから、交流電源ＡＣから負荷ＬＦへの給電の開始または停止だけではなく、負荷ＬＦを所定時間だけ動作させるタイマ動作を行うことができるようになり、また、動作モードがタイマモードＭ３であるときに主操作スイッチ１２を操作すれば動作モードがオンモードＭ２に切り替わるから、タイマモードＭ３において所定時間が経過する前であれば、タイマモードＭ３を解除して交流電源ＡＣから負荷ＬＦへの給電を維持することができる。
【０１０３】
また、制御部１１は、オンモードＭ２時に操作スイッチ２０が操作されると、負荷制御状態をオン状態からオフ状態に切り替えて、動作モードをオフモードＭ１に設定し（図４（ａ）中の矢印Ｈ４）、タイマモードＭ３時に操作スイッチ２０が操作されると、上記タイマのカウントを停止するとともに、負荷制御状態をオン状態からオフ状態に切り替えて、動作モードをオフモードＭ１に設定する（図４（ａ）中の矢印Ｈ４）ように構成されていてもよい。
【０１０４】
この場合、動作モードがオンモードＭ２であるかタイマモードＭ３であるかに関わらず、操作スイッチ２０を操作することによって、任意のタイミングで交流電源ＡＣから負荷ＬＦへの給電を停止させることができる。
【０１０５】
なお、操作スイッチ２０が操作された際の制御部１１の動作として、図４（ａ）中に矢印Ｈ３，Ｈ４で示す両方の動作と、矢印Ｈ３で示す動作と、矢印Ｈ４で示す動作とのいずれの動作を行うかは、スイッチ親器１に付設したスイッチなどの選択手段によって選択できるようにしてもよい。
【０１０６】
また、本実施形態におけるオフモードＭ１、オンモードＭ２、タイマモードＭ３の３つの動作モードを採用した例では、主操作スイッチ１２が操作された際の制御部１１の動作として、実施形態３に図３（ａ）で示す例を挙げたが、実施形態３に図３（ｂ）〜（ｄ）で示す例であってもよく、また、実施形態３で述べたように、図３（ａ）〜（ｄ）のなかから選択できるようにしてもよい。
【０１０７】
（実施形態５）
本実施形態の電子スイッチ装置は、図６に示す電子スイッチ装置と同様の構成を基本的な構成として有するものであって、負荷ＬＦが交流電源ＡＣを介して両端間に電気的に接続された開閉手段１０と、主操作スイッチ１２と、主操作スイッチ１２の操作に応じて開閉手段１０を制御して負荷制御状態を交流電源ＡＣから負荷ＬＦに給電しないオフ状態または交流電源ＡＣから負荷ＬＦに給電するオン状態に設定する制御手段を構成する制御部１１および電源／制御回路部１４と、操作スイッチ２０のオン／オフを判別して操作スイッチ２０がオンであるときにオン信号を出力し操作スイッチ２０がオフであるときにオフ信号を出力する判別手段となる判別回路部１６とを有するスイッチ親器１、および開閉手段１０に並列的に接続され操作されている間のみオンとなる常開型の操作スイッチ２０を有するスイッチ子器２とを備えているものの、電源／制御回路部１４とともに制御手段を構成する制御部１１の構成が異なっている。なお、本実施形態の電子スイッチ装置のその他の構成は、図６に示す電子スイッチ装置と同様であるから図示および説明を省略する。
【０１０８】
本実施形態における制御部１１は、図１（ａ）に示すように、負荷制御状態が交流電源ＡＣから負荷ＬＦに給電していないオフ状態であるときに判別回路部１６のオン信号が入力されると、負荷制御状態を交流電源ＡＣから負荷ＬＦに給電するオン状態に切り替えるように構成されている。また、本実施形態における制御部１１は、負荷制御状態がオン状態であるときに操作スイッチ２０が操作されても、負荷制御状態をオフ状態に切り替えないように構成されている。つまり、本実施形態におけるスイッチ子器２は、負荷ＬＦの点灯のみを行うオンスイッチ（強制オンスイッチ）となっている。
【０１０９】
このように本実施形態の電子スイッチ装置では、負荷制御状態がオフ状態からオン状態に切り替わる際には、図１（ａ）に示すように、時刻Ｔ１から時刻Ｔ２までの比較的短い期間（オン信号の入力確定時間ｔ）が、負荷制御状態がオフ状態である期間と重なり、負荷制御状態がオン状態において操作スイッチ２０を操作してもオフ状態に切り替わらないから、操作スイッチ２０の操作期間が、負荷制御状態がオフ状態である期間とは重ならないようになっている。
【０１１０】
したがって、以上述べた本実施形態の電子スイッチ装置によれば、制御部１１は、負荷制御状態が交流電源ＡＣから負荷ＬＦに給電しないオフ状態であるときには、オン信号が入力されると負荷制御状態を交流電源ＡＣから負荷ＬＦに給電するオン状態に切り替えるので、操作スイッチ２０が操作されてから給電開始までの時間が短くなるから、操作スイッチ２０が操作されている期間と負荷制御状態がオフ状態である期間とが重なる期間を短くでき、また、負荷制御状態がオン状態であるときには、操作スイッチ２０が操作されても負荷制御状態をオフ状態に切り替えないから、操作スイッチ２０が操作されている期間と負荷制御状態がオフ状態である期間とが重なることがなくなり、その結果、スイッチ子器１の操作スイッチ２０の操作時の負荷ＬＦに流れる電流に起因する不具合の発生を抑制できる。
【０１１１】
ところで、本実施形態における制御部１１は、動作モードとして、図４（ｂ）に示すように、負荷制御状態がオフ状態であるオフモードＭ１と、負荷制御状態がオン状態であるオンモードＭ２と、タイマにより所定時間をカウントした後に負荷制御状態をオン状態からオフ状態に切り替えるタイマモードＭ３とを有するものであってもよい。
【０１１２】
この場合、制御部１１は、例えば、実施形態３の図３（ａ）に示すように、オフモードＭ１時に主操作スイッチ１２が操作されると、負荷制御状態をオフ状態からオン状態に切り替えて動作モードをオンモードＭ２に設定し（図３（ａ）中の矢印Ｆ１）、オンモードＭ２時に主操作スイッチ１２が操作されると、動作モードをタイマモードＭ３に設定して（図３（ｂ）中の矢印Ｆ２）、上記タイマのカウントを開始し、タイマモードＭ３時に主操作スイッチ１２が操作されると上記タイマのカウントを停止し動作モードをオンモードＭ２に設定し（図３（ａ）中の矢印Ｆ３）、タイマモードＭ３時に上記タイマにより所定時間がカウントされた後には、負荷制御状態をオン状態からオフ状態に切り替えるとともに、動作モードをオフモードＭ１に設定する（図３（ａ）中の矢印Ｇ）ように構成する。
【０１１３】
このようにすれば、主操作スイッチ１２により、交流電源ＡＣから負荷ＬＦに給電しないオフモードＭ１、交流電源ＡＣから負荷ＬＦに給電するオンモードＭ２、および所定時間だけ交流電源ＡＣから負荷ＬＦに給電するタイマモードＭ３のいずれかに動作モードを設定できるから、交流電源ＡＣから負荷ＬＦへの給電の開始または停止だけではなく、負荷ＬＦを所定時間だけ動作させるタイマ動作を行うことができるようになり、また、動作モードがタイマモードＭ３であるときに主操作スイッチ１２を操作すれば動作モードがオンモードＭ２に切り替わるから、タイマモードＭ３において所定時間が経過する前であれば、タイマモードＭ３を解除して交流電源ＡＣから負荷ＬＦへの給電を維持することができる。
【０１１４】
また、制御部１１は、オフモードＭ１時に操作スイッチ２０が操作されると、負荷制御状態をオフ状態からオン状態に切り替えて、動作モードをオンモードＭ２に設定し（図４（ｂ）中の矢印Ｈ１）、タイマモードＭ３時に操作スイッチ２０が操作されると、上記タイマのカウントを停止し、動作モードをオンモードＭ２に設定する（図４（ｂ）中の矢印Ｈ５）ように構成されていてもよい。
【０１１５】
つまり、制御部１１は、動作モードがオフモードＭ１とタイマモードＭ３のいずれの場合であっても、動作モードをオンモードＭ２に切り替えるから、動作モードがオフモードＭ１であれば、操作スイッチ２０を操作することによって、交流電源ＡＣから負荷ＬＦへ給電して負荷ＬＦを動作させることができ、動作モードがタイマモードＭ３であれば、操作スイッチ２０を操作することによって、タイマモードＭ３を解除して交流電源ＡＣから負荷ＬＦへの給電を維持することができる。
【０１１６】
なお、操作スイッチ２０が操作された際の制御部１１の動作として、図４（ｂ）中に矢印Ｈ１，Ｈ５で示す両方の動作と、矢印Ｈ１で示す動作と、矢印Ｈ５で示す動作とのいずれの動作を行うかは、スイッチ親器１に付設したスイッチなどの選択手段によって選択できるようにしてもよい。
【０１１７】
また、本実施形態におけるオフモードＭ１、オンモードＭ２、タイマモードＭ３の３つの動作モードを採用した例では、主操作スイッチ１２が操作された際の制御部１１の動作として、実施形態３に図３（ａ）で示す例を挙げたが、実施形態３に図３（ｂ）〜（ｄ）で示す例であってもよく、また、実施形態３で述べたように、図３（ａ）〜（ｄ）のなかから選択できるようにしてもよい。
【図面の簡単な説明】
【０１１８】
【図１】実施形態１の電子スイッチ装置の説明図である。
【図２】実施形態２の電子スイッチ装置の動作説明図である。
【図３】実施形態３の電子スイッチ装置の動作説明図である。
【図４】（ａ）は実施形態４の電子スイッチ装置の動作説明図、（ｂ）は実施形態５の電子スイッチ装置の動作説明図である。
【図５】従来のスイッチ装置の説明図である。
【図６】従来の電子スイッチ装置の回路構成図である。
【図７】同上の電子スイッチ装置の説明図である。
【図８】従来の電子スイッチ装置の他例の説明図である。
【符号の説明】
【０１１９】
１    スイッチ親器
２    スイッチ子器
１０    開閉手段
１１    制御部
１６    判別回路部（判別手段）
２０    操作スイッチ
ＡＣ    交流電源
ＬＦ    負荷
【図１】
0004830990.tif 000002
【図２】
0004830990.tif 000003
【図３】
0004830990.tif 000004
【図４】
0004830990.tif 000005
【図５】
0004830990.tif 000006
【図６】
0004830990.tif 000007
【図７】
0004830990.tif 000008
【図８】
0004830990.tif 000009